(57)【要約】【課題】ユーザが視聴した、または視聴中である映像コンテンツに関連する情報を、可搬型端末に提供する。【解決手段】ユーザが視聴した、または視聴中である映像コンテンツに関連する情報を、可搬型端末に提供する映像関連情報提示装置２０であって、映像受信装置１０から、静止画像および静止画像から抽出されたキャプション内の文字列情報等を含む重要情報を一定の間隔で取得する番組内情報管理部２２と、取得した静止画像および重要情報を格納する番組内情報データベース２３と、可搬型端末３０から重要情報の取得要求があったときに認証を行なうユーザプロファイル管理部２６と、認証に成功したときに、番組内情報データベース２３から重要情報を特定する特定情報を読み出して、読み出した特定情報を一覧表示する画面を生成する画面生成部２４と、生成した画面を可搬型端末３０へ送信する通信部２５と、を備える。【選択図】図１
2010154415.tif 000002
【特許請求の範囲】
【請求項１】
ユーザが視聴した、または視聴中である映像コンテンツに関連する情報を、可搬型端末に提供する映像関連情報提示装置であって、
映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する番組内情報管理部と、
前記取得した静止画像および重要情報を格納する番組内情報データベースと、
可搬型端末から前記重要情報の取得要求があったときに、前記可搬型端末の認証を行なう認証部と、
前記認証に成功したときに、前記番組内情報データベースから取得要求の対象となった重要情報を特定する特定情報を読み出して、表示画面を生成する画面生成部と、
前記生成した画面を前記可搬型端末へ送信する重要情報送信部と、を備えることを特徴とする映像関連情報提示装置。
【請求項２】
ユーザが視聴した、または視聴中である映像コンテンツに関連する情報を、可搬型端末に提供する映像関連情報提示装置であって、
映像受信装置から、ユーザの操作を示す操作情報を取得し、ユーザが視聴中の映像を解析するユーザ操作解析部と、
前記解析結果を格納するユーザ視聴情報データベースと、
ユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する映像解析部と、
前記取得した静止画像および重要情報を格納する番組内情報データベースと、
可搬型端末から前記重要情報の取得要求があったときに、前記可搬型端末の認証を行なう認証部と、
前記認証に成功したときに、前記番組内情報データベースから取得要求の対象となった重要情報を特定する特定情報を読み出して、読み出した特定情報を表示する画面を生成する画面生成部と、
前記生成した画面を前記可搬型端末へ送信する重要情報送信部と、を備えることを特徴とする映像関連情報提示装置。
【請求項３】
ユーザが視聴した、または視聴中である映像コンテンツに関連する情報を、可搬型端末に提供する映像関連情報提示装置であって、
映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する番組内情報管理部と、
映像受信装置から、ユーザの操作を示す操作情報を取得し、ユーザが視聴中の映像を解析するユーザ操作解析部と、
前記解析結果を格納するユーザ視聴情報データベースと、
ユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する映像解析部と、
前記番組内情報管理部が取得した前記静止画像および前記重要情報または前記映像解析部が取得した前記静止画像および前記重要情報を格納する番組内情報データベースと、
可搬型端末から前記重要情報の取得要求があったときに、前記可搬型端末の認証を行なう認証部と、
前記認証に成功したときに、前記番組内情報データベースから取得要求の対象となった重要情報を特定する特定情報を読み出して、読み出した特定情報を表示する画面を生成する画面生成部と、
前記生成した画面を前記可搬型端末へ送信する重要情報送信部と、を備え、
前記映像受信装置において、ユーザがリアルタイムに映像コンテンツを視聴しているときは、前記ユーザ操作解析部は、そのユーザの操作を示す操作情報を取得する一方、前記映像受信装置において、ユーザが録画された映像コンテンツを視聴しているときは、前記番組内情報管理部は、前記映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得することを特徴とする映像関連情報提示装置。
【請求項４】
前記重要情報送信部は、前記画面を受信した可搬型端末でいずれかの特定情報が選択されたときに、その特定情報に対応する重要情報を前記番組内情報データベースから読み出して、前記可搬型端末に送信することを特徴とする請求項１から請求項３のいずれかに記載の映像関連情報提示装置。
【請求項５】
前記番組内情報管理部は、前記可搬型端末から前記重要情報の取得要求があったときは、前記映像受信装置に対して、前記番組内情報データベースに格納されている直近の静止画像および重要情報が最新であるかどうかについて問合せを行ない、前記番組内情報データベースに格納されている直近の静止画像および重要情報が最新でない場合は、前記映像受信装置から最新の静止画像および重要情報を取得し、前記番組内情報データベースに格納されている静止画像および重要情報を最新の静止画像および重要情報に更新することを特徴とする請求項１または請求項３記載の映像関連情報提示装置。
【請求項６】
ユーザが視聴した、または視聴中である映像コンテンツに関連する情報を、可搬型端末に提供する映像関連情報提示システムであって、
請求項１または請求項３記載の映像関連情報提示装置と、
ユーザが視聴中である映像コンテンツから、静止画像、および前記静止画像に含まれるキャプション内の文字列情報、ＵＲＬ情報、画像情報、または前記静止画像上にオーバレイされた地図情報の少なくとも一つを含む重要情報を抽出し、前記映像関連情報提示装置に出力する映像受信装置と、
前記映像関連情報提示装置に対して、前記重要情報の取得要求を行なう可搬型端末と、から構成されることを特徴とする映像関連情報提示システム。
【請求項７】
ユーザが視聴した、または視聴中である映像コンテンツに関連する情報を、可搬型端末に提供する映像関連情報提示システムであって、
請求項２または請求項３記載の映像関連情報提示装置と、
ユーザの操作を示す操作情報を前記映像関連情報提示装置に出力する映像受信装置と、
前記映像関連情報提示装置に対して、前記重要情報の取得要求を行なう可搬型端末と、から構成されることを特徴とする映像関連情報提示システム。
【請求項８】
ユーザが視聴した、または視聴中である映像コンテンツに関連する情報を、可搬型端末に提供する映像関連情報提示装置の制御プログラムであって、
映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、
前記取得した静止画像および重要情報を番組内情報データベースに格納する処理と、
可搬型端末から前記重要情報の取得要求があったときに、前記可搬型端末の認証を行なう処理と、
前記認証に成功したときに、前記番組内情報データベースから取得要求の対象となった重要情報を特定する特定情報を読み出す処理と、
前記読み出した特定情報を一覧表示する画面を生成する処理と、
前記生成した画面を前記可搬型端末へ送信する処理と、の一連の処理を、コンピュータに読み取りおよび実行可能にコマンド化されたことを特徴とする映像関連情報提示装置の制御プログラム。
【請求項９】
ユーザが視聴した、または視聴中である映像コンテンツに関連する情報を、可搬型端末に提供する映像関連情報提示装置の制御プログラムであって、
映像受信装置から、ユーザの操作を示す操作情報を取得して、ユーザが視聴中の映像コンテンツを解析する処理と、
前記解析結果をユーザ視聴情報データベースに格納する処理と、
前記映像受信装置を介してユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、
前記取得した静止画像および重要情報を番組内情報データベースに格納する処理と、
可搬型端末から前記重要情報の取得要求があったときに、前記可搬型端末の認証を行なう処理と、
前記認証に成功したときに、前記番組内情報データベースから取得要求の対象となった重要情報を特定する特定情報を読み出す処理と、
前記読み出した特定情報を一覧表示する画面を生成する処理と、
前記生成した画面を前記可搬型端末へ送信する処理と、の一連の処理を、コンピュータに読み取りおよび実行可能にコマンド化されたことを特徴とする映像関連情報提示装置の制御プログラム。
【請求項１０】
ユーザが視聴した、または視聴中である映像コンテンツに関連する情報を、可搬型端末に提供する映像関連情報提示装置の制御プログラムであって、
映像受信装置において、ユーザが録画された映像コンテンツを視聴しているときは、前記映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、
前記映像受信装置において、ユーザがリアルタイムに映像コンテンツを視聴しているときは、そのユーザの操作を示す操作情報を取得して、ユーザが視聴中の映像を解析する処理と、
前記解析結果をユーザ視聴情報データベースに格納する処理と、
ユーザがリアルタイムに視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、
前記取得した静止画像および重要情報を番組内情報データベースに格納する処理と、
可搬型端末から前記重要情報の取得要求があったときに、前記可搬型端末の認証を行なう処理と、
前記認証に成功したときに、前記番組内情報データベースから取得要求の対象となった重要情報を特定する特定情報を読み出して、読み出した特定情報を表示する画面を生成する処理と、
前記生成した画面を前記可搬型端末へ送信する処理と、の一連の処理を、コンピュータに読み取りおよび実行可能にコマンド化されたことを特徴とする映像関連情報提示装置の制御プログラム。
【発明の詳細な説明】
【技術分野】
【０００１】
本発明は、ユーザが視聴した、または視聴中である映像コンテンツに関連する情報を、可搬型端末に提供する技術に関する。
【背景技術】
【０００２】
映像コンテンツの代表的な例としては、ケーブル・ＩＰＴＶ等も含めたテレビがある。視聴者は、チューナーを内蔵したテレビや、セットトップボックス等の映像受信装置を用いることで、また、可搬型の情報端末としては、インターネット接続機能を備えた携帯電話が広く普及している。
【０００３】
昨今、携帯電話機とテレビ録画機とを連携させたより高度なサービスとして、携帯電話機からテレビ番組を予約録画するサービスが一般的になりつつある。これは、携帯電話機を入力デバイスとして用い、携帯電話機から録画機（ＤＶＲ）を操作する仕組みによって実現される。
【０００４】
一方、テレビ録画機から携帯電話機への方向の連携としては、録画したコンテンツを携帯電話機に転送して視聴する、あるいは、パレンタルロックの解除を携帯電話機にメールで通知するといった一方向的な機能のみが実現されていた。
【非特許文献１】NTTドコモ ホームU http://www.nttdocomo.co.jp/service/func_tool/homeu/
【発明の開示】
【発明が解決しようとする課題】
【０００５】
ユーザがテレビを視聴するとき、ユーザの視聴スタイルは大きく２通りに分けられる。すなわち、（１）視聴する番組を前もって決め、集中して視聴する場合、（２）視聴すべきコンテンツを決めず、なんとなくテレビ録画機をつけて視聴する場合、である。
【０００６】
他方、近年、番組中にホームページのＵＲＬを表示したり、Ｗｅｂサーチエンジンで検索する際のキーワードを表示したりするといった、テレビ受像機をトリガとした情報検索を促す広告が増えつつある。しかし、従来の技術では、テレビ受像機から携帯電話機に情報を提供する仕組みが提供されていないため、ユーザは手動でＵＲＬを入力しなければならなかった。またその際、上記のような“ながら視聴”においては、ユーザは事前に録画や情報記録の準備をしていないため、興味のある情報に遭遇したとしても、キーワードを忘れてしまい、関連する検索を行なうことができないといった状況に至ることが多かった。
【０００７】
また、テレビ受像機を用いて情報検索サービスを提供しようという試みもいくつかあるが、いずれも、テレビ受像機の画面を用いて、テレビ受像機上で検索を行なうことを想定したものである。複数のユーザでテレビ番組を視聴しているときに、必ずしもユーザ全員が検索を望んでいるわけではないので、検索を望むユーザと検索を望まないユーザのそれぞれにとって、利便性が高いとはいえない状況である。このため、第２の、パーソナルなディスプレイとして、携帯電話機を利用可能とする仕組みが望まれる。
【０００８】
本発明は、このような事情に鑑みてなされたものであり、ユーザが視聴した、または視聴中であるテレビ番組に関連する情報を、携帯電話機に提供することができる映像関連情報提示装置、映像関連情報提示システムおよび映像関連情報提示装置の制御プログラムを実現することを目的とする。
【課題を解決するための手段】
【０００９】
（１）上記の目的を達成するために、本発明は、以下のような手段を講じた。すなわち、本発明に係る映像関連情報提示装置は、ユーザが視聴した、または視聴中である映像コンテンツに関連する情報を、可搬型端末に提供する映像関連情報提示装置であって、映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する番組内情報管理部と、前記取得した静止画像および重要情報を格納する番組内情報データベースと、可搬型端末から前記重要情報の取得要求があったときに、前記可搬型端末の認証を行なう認証部と、前記認証に成功したときに、前記番組内情報データベースから取得要求の対象となった重要情報を特定する特定情報を読み出して、表示画面を生成する画面生成部と、前記生成した画面を前記可搬型端末へ送信する重要情報送信部と、を備えることを特徴としている。
【００１０】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。
【００１１】
（２）また、本発明の映像関連情報提示装置は、ユーザが視聴した、または視聴中である映像コンテンツに関連する情報を、可搬型端末に提供する映像関連情報提示装置であって、映像受信装置から、ユーザの操作を示す操作情報を取得し、ユーザが視聴中の映像を解析するユーザ操作解析部と、前記解析結果を格納するユーザ視聴情報データベースと、ユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する映像解析部と、前記取得した静止画像および重要情報を格納する番組内情報データベースと、可搬型端末から前記重要情報の取得要求があったときに、前記可搬型端末の認証を行なう認証部と、前記認証に成功したときに、前記番組内情報データベースから取得要求の対象となった重要情報を特定する特定情報を読み出して、読み出した特定情報を表示する画面を生成する画面生成部と、前記生成した画面を前記可搬型端末へ送信する重要情報送信部と、を備えることを特徴としている。
【００１２】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、セットトップボックスからは実際の解析結果を送るのではなく、セットトップボックスで取得されたユーザの視聴情報、操作情報のみを送信し、映像関連情報提示装置の情報選択・取得部で、受信・解析された番組内情報データベースを紐付けることで、画像処理を行なうことができない低スペックのセットトップボックスであっても、本サービスの提供が可能となる。
【００１３】
（３）また、本発明の映像関連情報提示装置は、ユーザが視聴した、または視聴中である映像コンテンツに関連する情報を、可搬型端末に提供する映像関連情報提示装置であって、映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する番組内情報管理部と、映像受信装置から、ユーザの操作を示す操作情報を取得し、ユーザが視聴中の映像を解析するユーザ操作解析部と、前記解析結果を格納するユーザ視聴情報データベースと、ユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する映像解析部と、前記番組内情報管理部が取得した前記静止画像および前記重要情報または前記映像解析部が取得した前記静止画像および前記重要情報を格納する番組内情報データベースと、可搬型端末から前記重要情報の取得要求があったときに、前記可搬型端末の認証を行なう認証部と、前記認証に成功したときに、前記番組内情報データベースから取得要求の対象となった重要情報を特定する特定情報を読み出して、読み出した特定情報を表示する画面を生成する画面生成部と、前記生成した画面を前記可搬型端末へ送信する重要情報送信部と、を備え、前記映像受信装置において、ユーザがリアルタイムに映像コンテンツを視聴しているときは、前記ユーザ操作解析部は、そのユーザの操作を示す操作情報を取得する一方、前記映像受信装置において、ユーザが録画された映像コンテンツを視聴しているときは、前記番組内情報管理部は、前記映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得することを特徴としている。
【００１４】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、映像受信装置（ＳＴＢ）内部での画像解析だけでなく、ユーザの処理負荷を軽減することが可能となる。
【００１５】
（４）また、本発明の映像関連情報提示装置において、前記重要情報送信部は、前記画面を受信した可搬型端末でいずれかの特定情報が選択されたときに、その特定情報に対応する重要情報を前記番組内情報データベースから読み出して、前記可搬型端末に送信することを特徴としている。
【００１６】
この構成により、重要情報を抽出し、可搬型端末に最適な形で提示することができる。
【００１７】
（５）また、本発明の映像関連情報提示装置において、前記番組内情報管理部は、前記可搬型端末から前記重要情報の取得要求があったときは、前記映像受信装置に対して、前記番組内情報データベースに格納されている直近の静止画像および重要情報が最新であるかどうかについて問合せを行ない、前記番組内情報データベースに格納されている直近の静止画像および重要情報が最新でない場合は、前記映像受信装置から最新の静止画像および重要情報を取得し、前記番組内情報データベースに格納されている静止画像および重要情報を最新の静止画像および重要情報に更新することを特徴としている。
【００１８】
この構成により、常に最新の重要情報を抽出し、携帯電話機に最適な形で提示することができる。
【００１９】
（６）また、本発明の映像関連情報提示システムは、ユーザが視聴した、または視聴中である映像コンテンツに関連する情報を、可搬型端末に提供する映像関連情報提示システムであって、請求項１または請求項３記載の映像関連情報提示装置と、ユーザが視聴中である映像コンテンツから、静止画像、および前記静止画像に含まれるキャプション内の文字列情報、ＵＲＬ情報、画像情報、または前記静止画像上にオーバレイされた地図情報の少なくとも一つを含む重要情報を抽出し、前記映像関連情報提示装置に出力する映像受信装置と、前記映像関連情報提示装置に対して、前記重要情報の取得要求を行なう可搬型端末と、から構成されることを特徴としている。
【００２０】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。
【００２１】
（７）また、本発明の映像関連情報提示システムは、ユーザが視聴した、または視聴中である映像コンテンツに関連する情報を、可搬型端末に提供する映像関連情報提示システムであって、請求項２または請求項３記載の映像関連情報提示装置と、ユーザの操作を示す操作情報を前記映像関連情報提示装置に出力する映像受信装置と、前記映像関連情報提示装置に対して、前記重要情報の取得要求を行なう可搬型端末と、から構成されることを特徴としている。
【００２２】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、セットトップボックスからは実際の解析結果を送るのではなく、セットトップボックスで取得されたユーザの視聴情報、操作情報のみを送信し、映像関連情報提示装置の情報選択・取得部で、受信・解析された番組内情報データベースを紐付けることで、画像処理を行なうことができない低スペックのセットトップボックスであっても、本サービスの提供が可能となる。
【００２３】
（８）また、本発明の映像関連情報提示装置の制御プログラムは、ユーザが視聴した、または視聴中である映像コンテンツに関連する情報を、可搬型端末に提供する映像関連情報提示装置の制御プログラムであって、映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記取得した静止画像および重要情報を番組内情報データベースに格納する処理と、可搬型端末から前記重要情報の取得要求があったときに、前記可搬型端末の認証を行なう処理と、前記認証に成功したときに、前記番組内情報データベースから取得要求の対象となった重要情報を特定する特定情報を読み出す処理と、前記読み出した特定情報を一覧表示する画面を生成する処理と、前記生成した画面を前記可搬型端末へ送信する処理と、の一連の処理を、コンピュータに読み取りおよび実行可能にコマンド化されたことを特徴としている。
【００２４】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。
【００２５】
（９）また、本発明の映像関連情報提示装置の制御プログラムは、ユーザが視聴した、または視聴中である映像コンテンツに関連する情報を、可搬型端末に提供する映像関連情報提示装置の制御プログラムであって、映像受信装置から、ユーザの操作を示す操作情報を取得して、ユーザが視聴中の映像コンテンツを解析する処理と、前記解析結果をユーザ視聴情報データベースに格納する処理と、前記映像受信装置を介してユーザが視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記取得した静止画像および重要情報を番組内情報データベースに格納する処理と、可搬型端末から前記重要情報の取得要求があったときに、前記可搬型端末の認証を行なう処理と、前記認証に成功したときに、前記番組内情報データベースから取得要求の対象となった重要情報を特定する特定情報を読み出す処理と、前記読み出した特定情報を一覧表示する画面を生成する処理と、前記生成した画面を前記可搬型端末へ送信する処理と、の一連の処理を、コンピュータに読み取りおよび実行可能にコマンド化されたことを特徴としている。
【００２６】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、セットトップボックスからは実際の解析結果を送るのではなく、セットトップボックスで取得されたユーザの視聴情報、操作情報のみを送信し、映像関連情報提示装置の情報選択・取得部で、受信・解析された番組内情報データベースを紐付けることで、画像処理を行なうことができない低スペックのセットトップボックスであっても、本サービスの提供が可能となる。
【００２７】
（１０）また、本発明の映像関連情報提示装置の制御プログラムは、ユーザが視聴した、または視聴中である映像コンテンツに関連する情報を、可搬型端末に提供する映像関連情報提示装置の制御プログラムであって、映像受信装置において、ユーザが録画された映像コンテンツを視聴しているときは、前記映像受信装置から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記映像受信装置において、ユーザがリアルタイムに映像コンテンツを視聴しているときは、そのユーザの操作を示す操作情報を取得して、ユーザが視聴中の映像を解析する処理と、前記解析結果をユーザ視聴情報データベースに格納する処理と、ユーザがリアルタイムに視聴中の映像コンテンツから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記取得した静止画像および重要情報を番組内情報データベースに格納する処理と、可搬型端末から前記重要情報の取得要求があったときに、前記可搬型端末の認証を行なう処理と、前記認証に成功したときに、前記番組内情報データベースから取得要求の対象となった重要情報を特定する特定情報を読み出して、読み出した特定情報を表示する画面を生成する処理と、前記生成した画面を前記可搬型端末へ送信する処理と、の一連の処理を、コンピュータに読み取りおよび実行可能にコマンド化されたことを特徴としている。
【００２８】
この構成により、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、映像受信装置（ＳＴＢ）内部での画像解析だけでなく、ユーザの処理負荷を軽減することが可能となる。
【発明の効果】
【００２９】
本発明によれば、例えば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。
【００３０】
さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。
【００３１】
また、本発明によれば、セットトップボックスからは実際の解析結果を送るのではなく、セットトップボックスで取得されたユーザの視聴情報、操作情報のみを送信し、映像関連情報提示装置の情報選択・取得部で、受信・解析された番組内情報データベースを紐付けることで、画像処理を行なうことができない低スペックのセットトップボックスであっても、本サービスの提供が可能となる。
【発明を実施するための最良の形態】
【００３２】
以下、本発明の実施形態について、図面を参照しながら具体的に説明する。なお、以下の説明では、例として、映像受信装置をセットトップボックス（以下、「ＳＴＢ」と呼称する。）とし、可搬型端末を携帯電話機として説明する。ただし、これはあくまでも例示であって、本発明は、これらに限定されるわけではない。
【００３３】
（第１の実施形態）
第１の実施形態では、ＳＴＢは、十分に高速なインターネット接続機能と高い処理能力を持ち、かつ、テレビ番組を受信しているものとする。テレビ番組の取得は、テレビ電波（ＲＦ：Radio Frequency）の受信の他、ＩＰＴＶ（Internet Protocol TeleVision）を介した受信でも良い。
【００３４】
図１は、第１の実施形態に係る映像関連情報提示システムの概略構成を示す図である。第１の実施形態に係る映像関連情報提示システムは、映像受信装置１０（以下、「ＳＴＢ１０と呼称する。）と、映像関連情報提示装置２０と、可搬型端末３０（以下、「携帯電話機３０」と呼称する。）とから構成される。ＳＴＢ１０と、映像関連情報提示装置２０とは、ＨＧＷ（Home Gate Way）４０によって接続されている。また、映像関連情報提示装置２０と携帯電話機３０とは無線によりデータの送受信が可能となっている。
【００３５】
ＳＴＢ１０は、映像受信部１１で映像を受信し、映像表示部１２で受信した映像を表示する。ユーザが、テレビ番組の視聴中に、ＳＴＢ１０の映像解析部１３は、現在受信中のテレビ映像を、バックグラウンドで解析し、一定の間隔で静止画を取得する。その中から、重要と思われる情報（重要情報）を取得し、その情報の種類とともに、重要情報保存部１４に保存する。重要情報としては、例えば以下が該当する。
・キャプションに含まれる文字列情報
・ＵＲＬ情報
・画像情報
・画面上にオーバレイされた地図情報
【００３６】
通信部１５は、重要情報が検出された各フレームに対して、取得した重要情報と静止画像を、一定間隔で映像関連情報提示装置２０に送信する。ＥＰＧ情報取得部１６は、ＥＰＧ（Electronic Program Guide）を取得する。
【００３７】
映像関連情報提示装置２０は、通信部２１を介して、番組内情報管理部２２において、ＳＴＢ１０から送信された情報を取得し、番組内情報ＤＢ（データベース）２３に格納する。図２は、番組内情報ＤＢ２３に格納される情報のフォーマットを示す図である。図２に示すように、番組内情報ＤＢ２３には、情報を保存した時間（Ｔｉｍｅ）、保存したチャンネルの番号（Ｃｈａｎｎｅｌ）、ＥＰＧから取得した番組のタイトル（Ｐｒｏｇｒａｍ＿Ｔｉｔｌｅ）、情報を抽出したシーンのサムネイル画像（Ｔｈｕｍｂｎａｉｌ）、取得した情報の個数（Ｉｎｆｏ＿ｎｕｍ）、取得した情報の画面中の位置、すなわち、情報を示す４角形の頂点座標（Ｉｎｆｏ＿ｎｕｍ毎にＡｒｅａ）、文字列、ＵＲＬ、画像、地図（Ｉｎｆｏ＿ｎｕｍ毎にＩｎｆｏ＿ｔｙｐｅ）、取得した情報の中身（Ｉｎｆｏ＿ｎｕｍ毎にＩｎｆｏ）が格納されている。
【００３８】
ユーザは、自分が見た映像コンテンツの情報で欲しいものがあるとき、携帯電話機３０の入力部３１、画面表示部３２を利用して操作を行ない、通信部３３を介して映像関連情報提示装置２０にアクセスする。映像関連情報提示装置２０は、通信部２５を介して、ユーザプロファイル管理部２６において、ユーザを識別する。この識別には、携帯電話機３０の個別ＩＤ（サブスクライバＩＤ）を用いてもよいし、専用のＩＤ、パスワードを用いても良い。映像関連情報提示装置２０では、認識したユーザＩＤから、事前にユーザプロファイルＤＢ２７に格納されているユーザプロファイルＩＤを取得する。ユーザプロファイルＩＤには、例えば、ユーザの年齢や、許容されているレーティング（視聴制限）情報が含まれる。また、ユーザプロファイルＤＢ２７には、携帯電話機のユーザプロファイルＩＤと、ＳＴＢ１０のＳｕｂｓｃｒｉｂｅｒ＿ＩＤの対が、事前にユーザによって登録されており、映像関連情報提示装置２０は、この紐付けに基づいて関連するＳＴＢ１０を特定する。なお、通信部２５は、重要情報送信部を構成し、ユーザプロファイル管理部２６およびユーザプロファイルＤＢ２７は、認証部を構成する。
【００３９】
ユーザが携帯電話機３０を操作して映像関連情報提示装置２０にアクセスした際、映像関連情報提示装置２０は、通信部２１を介して、ＳＴＢ１０に問い合わせを投げ、取得した重要情報と静止画の対を、最新のものに更新する。このように、前述の、携帯電話機３０からのリクエストによらない、通常の一定間隔の更新と、携帯電話機からのアクセス時の更新を組み合わせることで、ユーザの待ち時間を軽減することができる。
【００４０】
情報更新後、画面生成部２４は、ユーザが見たコンテンツの履歴と、その重要情報を紐付けて、一覧の画面を生成し、通信部２５は、ユーザにその一覧の画面を提示する。一覧の提供は、例えばＨＴＭＬによって生成された画面を、ＨＴＴＰによって提供することが想定される。この画面で一覧表示される項目は、キャプチャされた画面のサムネイル、番組のタイトル、チャンネル、視聴した時間である。この一覧表示は、例えば、チャンネル毎に表示、時系列で表示等が選択可能である。また、表示時に、ユーザプロファイル情報から視聴制限を行ない、子供の携帯電話には、レーティングありコンテンツの情報は表示されないようにする。
【００４１】
ユーザは、携帯電話機３０の画面表示部３２を見て、重要情報が検出されたシーンの番組のサムネイル一覧の中から、所望の情報が含まれるサムネイルを選択する。映像関連情報提示装置２０は、ユーザによって選択されたサムネイルが含む重要情報を、その画面中の位置とともにユーザに提示し、選択可能とする。これにより、ユーザは視覚的に情報を選択することが可能となる。ユーザが情報を取得すると、映像関連情報提示装置２０は、取得された情報の種類に応じて、ユーザへの情報提供処理を行なう。取得された情報の種類と、情報提供処理の関係は以下の通りである。
（１）キャプションに含まれる文字列情報・・・文字列をキーにＷｅｂを検索した結果を提示する。
（２）ＵＲＬ情報・・・ユーザにＵＲＬを提示した後、取得したＵＲＬにリンクする。
（３）画像情報
（４）画面上にオーバレイされた地図情報・・・ユーザに切り出した画像領域を提示し、著作権上保護機能（携帯電話機の外部への送信不可設定）を行なった上で、携帯電話機に保存させる。
【００４２】
次に、以上のように構成された第１の実施形態に係る映像関連情報提示システムの主要な動作について説明する。図３は、ユーザのテレビ番組視聴中に行なう重要情報保存処理の概要を示すフローチャートである。まず、ＳＴＢ１０において、テレビ番組の視聴、または録画が開始されると（ステップＳ１）、ＳＴＢ１０の映像解析部１３が静止画像とその静止画像から重要情報を抽出する処理を行なう（ステップＳ２）。そして、テレビ画面、すなわち、静止画像中から、重要情報が発見されたかどうかを判断し（ステップＳ３）、重要情報が発見されない場合は、ステップＳ２へ遷移する。一方、ステップＳ３において、重要情報が発見された場合は、図５Ａに示すように、テレビ画面から重要情報を抽出し、抽出した重要情報をＳＴＢ１０の重要情報保存部１４に格納する（ステップＳ４）。
【００４３】
図４は、携帯電話機３０から重要情報の取得要求があった場合に、携帯電話機３０に対して重要情報の一覧表示を提供する処理の概要を示すフローチャートである。まず、携帯電話機３０から通信部２５へアクセスが行なわれ（ステップＳ１０）、次に、携帯電話機３０のユーザＩＤが取得される（ステップＳ１１）。通信部２５へのアクセスは、例えばＨＴＴＰ等のプロトコルを用いることが可能である。次に、ユーザＩＤを元に、ユーザプロファイルＤＢ２７からＳＴＢ１０のＳｕｂｓｃｒｉｂｅｒ＿ＩＤ、ユーザプロファイル情報を取得する（ステップＳ１２）。次に、ＳＴＢ１０のＳｕｂｓｃｒｉｂｅｒ＿ＩＤを元に、ＳＴＢ１０の重要情報保存部１４に格納されている最新の重要情報を要求する（ステップＳ１３）。次に、ＳＴＢ１０のＳｕｂｓｃｒｉｂｅｒ＿ＩＤを元に、番組内情報ＤＢ２３に蓄積されている情報を取得し（ステップＳ１４）、画面生成部２４で、重要情報一覧を作成し、通信部２５経由で携帯電話機３０に提示する（ステップＳ１５）。この重要情報一覧は、図５Ｂに示すように、重要情報を特定する情報から構成されている。ユーザが、重要情報一覧のいずれかを選択すると、図５Ｃに示すように、その重要情報が携帯電話機３０の画面表示部３２に表示される。
【００４４】
以上のような第１の実施形態の特徴的な動作は、コンピュータにプログラムを実行させることによって行なわれる。すなわち、第１の実施形態に係る映像関連情報提示装置の制御プログラムは、ユーザが視聴した、または視聴中であるテレビ番組に関連する情報を、携帯電話機に提供する映像関連情報提示装置の制御プログラムであって、セットトップボックスから、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記取得した静止画像および重要情報を番組内情報データベースに格納する処理と、携帯電話機から前記重要情報の取得要求があったときに、前記携帯電話機の認証を行なう処理と、前記認証に成功したときに、前記番組内情報データベースから取得要求の対象となった重要情報を特定する特定情報を読み出す処理と、前記読み出した特定情報を一覧表示する画面を生成する処理と、前記生成した画面を前記携帯電話機へ送信する処理と、の一連の処理を、コンピュータに読み取りおよび実行可能にコマンド化されたことを特徴としている。
【００４５】
以上説明したように、第１の実施形態によれば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。
【００４６】
（第２の実施形態）
第２の実施形態では、ＳＴＢは、十分なインターネット接続機能や、処理能力が無い、簡易構成のＳＴＢを利用する場合を想定する。図６は、第２の実施形態に係る映像関連情報提示システムの概略構成を示す図である。ＳＴＢ１０の操作情報通知部１７は、電源投入時、チャンネル変更時等の操作毎に、自らの視聴・操作情報を映像関連情報提示装置２０に送信する。図７は、操作情報のフォーマットを示す図である。図７に示すように、操作情報は、操作が行なわれた時刻（Ｔｉｍｅ）、ＴＶ電源ＯＮ、チャンネル変更、追いかけ再生開始、追いかけ再生終了、ＴＶ電源ＯＦＦ（Ｃｏｍｍａｎｄ）、視聴開始の場合のチャンネル番号（Ｃｈａｎｎｅｌ）、ＳＴＢを一意に紐付ける識別子（ＳＴＢ＿ＩＤ）、ＳＴＢを所有している契約者ＩＤ（Ｓｕｂｓｃｒｉｂｅｒ＿ＩＤ）、から構成されている。
【００４７】
映像関連情報提示装置２０では、受信した操作情報から、ユーザ操作解析部６１によって、ユーザが現在視聴しているチャンネルを解析し、ユーザ視聴情報ＤＢ６２に保存する。図８は、ユーザ視聴情報ＤＢフォーマットを示す図である。図８に示すように、ユーザ視聴情報は、ＳＴＢを一意に紐付ける識別子（ＳＴＢ＿ＩＤ）、ＳＴＢを所有している契約者ＩＤ（Ｓｕｂｓｃｒｉｂｅｒ＿ＩＤ）、視聴情報を保存している期間（ｐｅｒｉｏｄ）、視聴開始時間（視聴履歴の個数分、Ｓｔａｒｔ＿ｔｉｍｅ）、視聴終了時間（視聴履歴の個数分、Ｅｎｄ＿ｔｉｍｅ）、チャンネル（視聴履歴の個数分、Ｃｈａｎｎｅｌ）、から構成されている。
【００４８】
映像関連情報提示装置２０では、映像受信部６４として、複数のチューナーを備え、ユーザが視聴可能な全番組を受信し、テレビ視聴中に、映像解析部６３は、現在受信中のテレビ映像を、バックグラウンドで解析し、一定の間隔で静止画を取得する。その中から、重要と思われる情報（重要情報）を取得し、その情報の種類とともに番組内情報ＤＢ２３に保存する。この処理は、第１の実施形態ＳＴＢ１０が行なうものと同様である。
【００４９】
ユーザは、自分が見た映像コンテンツの情報で欲しいものがあるとき、携帯電話機３０を用いて映像関連情報提示装置２０にアクセスする、映像関連情報提示装置２０では、ユーザプロファイル管理部２６によって、ユーザを識別する。この識別には、携帯電話機の個別ＩＤ（サブスクライバＩＤ）を用いてもよいし、専用のＩＤ、パスワードを用いても良い。映像関連情報提示装置２０では、認識したユーザＩＤから、事前にユーザプロファイルＤＢ２７に格納されているユーザプロファイルＩＤを取得する。ユーザプロファイルＩＤには、ユーザの年齢・許容されているレーティング（視聴制限）情報が含まれる。また、ユーザプロファイルＤＢ２７には、携帯電話機のユーザプロファイルＩＤと、ＳＴＢ１０のＳｕｂｓｃｒｉｂｅｒ＿ＩＤの対が、事前にユーザによって登録されており、映像関連情報提示装置２０は、この紐付けに基づいて関連するＳＴＢ１０を特定する。
【００５０】
ユーザが携帯電話機３０を用いて映像関連情報提示装置２０にアクセスした際、映像関連情報提示装置２０は、Ｓｕｂｓｃｒｉｂｅｒ＿ＩＤに基づき、ユーザ視聴情報ＤＢ６２にアクセスし、該当の契約者世帯が視聴した番組、現在視聴中の番組の情報を取得する。さらに、映像関連情報提示装置２０の情報選択・取得部６０は、取得した番組情報をキーに、番組内情報ＤＢ２３を検索し、番組内の重要情報の一覧を取得する。映像関連情報提示装置２０は、取得された情報の種類に応じて、ユーザへの情報提供処理を行なう。以下の処理は第１の実施形態と同様である。
【００５１】
図９は、ユーザのテレビ番組視聴中に行なうユーザ視聴情報保存処理の概要を示すフローチャートである。まず、ＳＴＢ１０において、テレビ番組の視聴または録画が開始されると（ステップＳ２１）、ＳＴＢ１０の操作情報通知部は、ユーザによる映像関連操作情報を、映像関連情報提示装置２０に送信する（ステップＳ２２）。次に、映像関連情報提示装置２０で、ユーザ視聴情報ＤＢ６２にユーザ視聴情報を格納する（ステップＳ２３）。なお、ステップＳ２２とステップＳ２３の処理は、チャンネル変更等の操作毎に実行されるものである。
【００５２】
図１０は、映像関連情報提示装置における番組内情報格納処理の概要を示すフローチャートである。映像関連情報提示装置２０では、対象とする全チャンネルを受信し、重要情報を検出する（ステップＳ３１）。次に、検出された重要情報を、番組内情報ＤＢ２３に格納する（ステップＳ３２）。これらのステップＳ３１およびステップＳ３２の処理は、サービス提供中は、常に実施されるものである。
【００５３】
図１１は、携帯電話機３０から重要情報の取得要求があった場合に、携帯電話機３０に対して重要情報の一覧表示を提供する処理の概要を示すフローチャートである。まず、携帯電話機３０から通信部２５へアクセスが行なわれ（ステップＳ４１）、次に、携帯電話機３０のユーザＩＤが取得される（ステップＳ４２）。次に、ユーザＩＤを元に、ユーザプロファイルＤＢ２７からＳＴＢ１０のＳｕｂｓｃｒｉｂｅｒ＿ＩＤ、ユーザプロファイル情報を取得する（ステップＳ４３）。次に、ＳＴＢ１０のＳｕｂｓｃｒｉｂｅｒ＿ＩＤを元に、ユーザ視聴情報ＤＢ６２から、ユーザの視聴情報を取得する（ステップＳ４４）。次に、ユーザの視聴情報を元に、番組内情報ＤＢ２３から番組の重要情報の一覧を取得し（ステップＳ４５）、画面生成部２４で、重要情報一覧を作成し、通信部２５経由で携帯電話機３０に提示する（ステップＳ４６）。この重要情報一覧は、図５Ｂに示すように、重要情報を特定する情報から構成されている。ユーザが、重要情報一覧のいずれかを選択すると、図５Ｃに示すように、その重要情報が携帯電話機３０の画面表示部３２に表示される。
【００５４】
以上のような第２の実施形態の特徴的な動作は、コンピュータにプログラムを実行させることによって行なわれる。すなわち、第２の実施形態に係る映像関連情報提示装置の制御プログラムは、ユーザが視聴した、または視聴中であるテレビ番組に関連する情報を、携帯電話機に提供する映像関連情報提示装置の制御プログラムであって、セットトップボックスから、ユーザの操作を示す操作情報を取得する処理と、ユーザが視聴中のテレビ番組を解析する処理と、前記解析結果をユーザ視聴情報データベースに格納する処理と、前記セットトップボックスを介してユーザが視聴中のテレビ番組から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得する処理と、前記取得した静止画像および重要情報を番組内情報データベースに格納する処理と、携帯電話機から前記重要情報の取得要求があったときに、前記携帯電話機の認証を行なう処理と、前記認証に成功したときに、前記番組内情報データベースから取得要求の対象となった重要情報を特定する特定情報を読み出す処理と、前記読み出した特定情報を一覧表示する画面を生成する処理と、前記生成した画面を前記携帯電話機へ送信する処理と、の一連の処理を、コンピュータに読み取りおよび実行可能にコマンド化されたことを特徴としている。
【００５５】
以上説明したように、第２の実施形態によれば、ユーザが視聴中の番組に関連した情報を、テレビ受像機から携帯電話機に連動させることができるので、ユーザは簡便な操作でテレビ受像機と連動した情報を取得することが可能となり、利便性が向上する。さらに、ユーザが過去に視聴した番組の情報を、その視聴履歴に応じて表示することで、テレビ視聴の備忘録的な機能を実現することができる。また、映像関連情報として、携帯電話機に蓄積されたユーザ個々の属性情報（年齢・嗜好）を利用するので、同一のテレビ受像機を用いた場合でも、個々にパーソナライズされたサービスを提供することが可能となる。さらに、本発明によれば、ユーザが視聴したコンテンツの履歴と、その中に含まれる重要な情報のみを自動的に保存し、かつ、それを携帯電話機で閲覧することが可能になる。既存のＤＶＲでは、番組を丸ごと保存することはできても、そこから重要な情報のみ抽出し、携帯電話機に最適な形で提示することはできないため、本発明によれば、まったく新しいサービスを提供することが可能となる。また、セットトップボックスからは実際の解析結果を送るのではなく、セットトップボックスで取得されたユーザの視聴情報、操作情報のみを送信し、映像関連情報提示装置の情報選択・取得部で、受信・解析された番組内情報データベースを紐付けることで、画像処理を行なうことができない低スペックのセットトップボックスであっても、本サービスの提供が可能となる。
【００５６】
（第３の実施形態）
さらに、第３の実施形態として、ＳＴＢ１０は十分なインターネット接続機能や、高い処理能力を持ち、さらに受信したコンテンツを録画する機能をも有する。そして、第３の実施形態では、処理負荷を最小化するために、ＳＴＢ１０内部での画像解析だけでなく、ユーザの処理負荷を軽減することを想定する。すなわち、映像関連情報提示装置２０は、図６に示したユーザ操作解析部６１、ユーザ視聴情報ＤＢ６２および図１に示した番組内情報管理部２２を備え、映像受信装置（ＳＴＢ）１０において、ユーザがリアルタイムにコンテンツを視聴しているときは、第２の実施形態と同様に、そのユーザの操作を示す操作情報を、ユーザ操作解析部６１によって取得し、ユーザ視聴情報ＤＢ６２に格納する。また、ユーザが録画されたコンテンツを視聴しているときは、第１の実施形態と同様に、番組内情報管理部２２によって、映像受信装置（ＳＴＢ）１０から、静止画像および前記静止画像から抽出されたキャプション内の文字列情報、ＵＲＬ情報、画像情報、または前記静止画像上にオーバレイされた地図情報の少なくとも一つを含む重要情報を一定の間隔で取得し、番組内情報ＤＢ２３に格納する。
【００５７】
ユーザからの情報取得要求があると、映像関連情報提示装置２０は、番組内情報ＤＢ２３に格納された重要情報のうち、（１）ユーザ視聴情報ＤＢ６２によって、ユーザがリアルタイムに視聴していたと判断されたコンテンツに含まれるもの、（２）ユーザが視聴した録画ずみコンテンツに含まれる重要情報、すなわち映像受信装置（ＳＴＢ）１０の映像解析部１３から、通信部１５を介して受信したものの双方を抽出し、ユーザに提示を行なう。
【図面の簡単な説明】
【００５８】
【図１】第１の実施形態に係る映像関連情報提示システムの概略構成を示す図である。
【図２】番組内情報ＤＢ２３に格納される情報のフォーマットを示す図である。
【図３】ユーザのテレビ番組視聴中に行なう重要情報保存処理の概要を示すフローチャートである。
【図４】携帯電話機３０から重要情報の取得要求があった場合に、携帯電話機３０に対して重要情報の一覧表示を提供する処理の概要を示すフローチャートである。
【図５Ａ】テレビ画面から重要情報を抽出する様子を示す図である。
【図５Ｂ】携帯電話機で重要情報一覧が表示された様子を示す図である。
【図５Ｃ】携帯電話機に重要情報が表示された様子を示す図である。
【図６】第２の実施形態に係る映像関連情報提示システムの概略構成を示す図である。
【図７】操作情報のフォーマットを示す図である。
【図８】ユーザ視聴情報ＤＢフォーマットを示す図である。
【図９】ユーザのテレビ番組視聴中に行なうユーザ視聴情報保存処理の概要を示すフローチャートである。
【図１０】映像関連情報提示装置における番組内情報格納処理の概要を示すフローチャートである。
【図１１】携帯電話機３０から重要情報の取得要求があった場合に、携帯電話機３０に対して重要情報の一覧表示を提供する処理の概要を示すフローチャートである。
【符号の説明】
【００５９】
１０  映像受信装置（ＳＴＢ）
１１  映像受信部
１２  映像表示部
１３  映像解析部
１４  重要情報保存部
１５  通信部
１６  ＥＰＧ情報取得部
１７  操作情報通知部
２０  映像関連情報提示装置
２１  通信部
２２  番組内情報管理部
２３  番組内情報ＤＢ
２４  画面生成部
２５  通信部
２６  ユーザプロファイル管理部
２７  ユーザプロファイルＤＢ
３０  可搬型端末（携帯電話機）
３１  入力部
３２  画面表示部
３３  通信部
６０  情報選択・取得部
６１  ユーザ操作解析部
６２  ユーザ視聴情報ＤＢ
６３  映像解析部
６４  映像受信部
【図１】
2010154415.tif 000003
【図２】
2010154415.tif 000004
【図３】
2010154415.tif 000005
【図４】
2010154415.tif 000006
【図６】
2010154415.tif 000007
【図７】
2010154415.tif 000008
【図８】
2010154415.tif 000009
【図９】
2010154415.tif 000010
【図１０】
2010154415.tif 000011
【図１１】
2010154415.tif 000012
【図５Ａ】
2010154415.tif 000013
【図５Ｂ】
2010154415.tif 000014
【図５Ｃ】
2010154415.tif 000015